(57)【要約】      （修正有）【課題】表示画面の内容を紙製の本と同様に見易いようにレイアウトして表示し、物語の展開が表示内容の変化に伴い選択され、展開が変化する電子ブックを提供。【解決手段】外部記録媒体に、表示情報の他に表示制御情報を混在させた情報をページごとに区分して記録するとともに、表示制御情報中から各ページに共通な共通表示制御情報を抽出して記憶するとともに、表示内容の変更指示があるたびに、前記読み出し手段は内容の変更に伴い、選択されたページの外部記録媒体の表示制御情報を読み出してその選択されたページに固有の表示制御情報を抽出するようにした。そして、選択されたページの表示情報を表示する際に、あらかじめ記憶されている共通表示制御情報と、抽出した固有の表示制御情報に基づいて表示する表示制御手段を備える。【選択図】図１
2009258150.tif 000002
【特許請求の範囲】
【請求項１】
表示情報の他に表示制御情報を混在させた情報をページごとに区分して記録した外部記録媒体と、当該外部記録媒体の情報を読み出す読み出し手段と、 前記外部記録媒体の表示情報を表示する表示手段と、前記読み出し手段が前記外部記録媒体の情報を読み出すように指示し、その読み出した情報中から各ページに共通な共通表示制御情報を抽出して記憶する共通表示制御情報抽出手段と、表示内容の変更を指示する手段と、当該表示内容の変更を指示する手段を検出する手段と、当該表示内容の変更を指示する手段を検出する手段が前記内容の変更の指示を検出したときに、前記読み出し手段は内容の変更に伴い、選択されたページの外部記録媒体の情報を読み出すように指示し、その読み出した情報から選択されたページに固有の表示制御情報を抽出する固有表示制御情報抽出手段と、前記読み出し手段で読み出した選択されたページの表示情報を前記表示手段で表示する際に、前記共通表示制御情報抽出手段に記憶する共通表示制御情報と、固有表示制御情報抽出手段で抽出した固有の表示制御情報に基づいて表示制御を行う表示制御手段と、を備えてなる電子ブック。
【発明の詳細な説明】
【技術分野】
【０００１】
この発明は、本の物語などの内容を、電子的、光学的、または磁気的な外部記録媒体に保存し、前期外部記録媒体から前記内容を読み出して表示する内容が変化する電子ブックに関する。
【背景技術】
【０００２】
従来電子ブックは、書物、新聞、雑誌などの文字、グラフィックス、画像などの内容を、電子的、光学的、または磁気的な外部記録媒体に保存し、これを読み出して表示するものが知られている。
【特許文献１】特願平５−１０５０３０
【発明の開示】
【発明が解決しようとする課題】
【０００３】
しかし、従来の電子ブックは、表示内容がページごとに区分されていないとともに、表示内容がレイアウトされていないので、紙製の本などに比べて表示内容が非常に見にくいという問題が生じていた。 また、物語の展開が同じで、展開が読めてしまうという問題点が生じていた。
そこで、この発明は、表示画面の内容を紙製の本と同様に見易いようにレイアウトして表示することを目的とする。また、物語の展開が表示内容の変化に伴い選択され、展開が変化することを目的とする。
【課題を解決するための手段】
【０００４】
かかる目的を達成するために、本発明は、以下のように構成した。
すなわち本発明は、図１で示すように、表示情報の他に表示制御情報を混在させた情報をページごとに区分して記録した外部記録媒体と、当該外部記録媒体の情報を読み出す読み出し手段と、 前記外部記録媒体の表示情報を表示する表示手段と、前記読み出し手段が前記外部記録媒体の情報を読み出すように指示し、その読み出した情報中から各ページに共通な共通表示制御情報を抽出して記憶する共通表示制御情報抽出手段と、表示内容の変更を指示する手段と、当該表示内容の変更を指示する手段を検出する手段と、当該表示内容の変更を指示する手段を検出する手段が前記内容の変更の指示を検出したときに、前記読み出し手段は内容の変更に伴い、選択されたページの外部記録媒体の情報を読み出すように指示し、その読み出した情報から選択されたページに固有の表示制御情報を抽出する固有表示制御情報抽出手段と、前記読み出し手段で読み出した選択されたページの表示情報を前記表示手段で表示する際に、前記共通表示制御情報抽出手段に記憶する共通表示制御情報と、固有表示制御情報抽出手段で抽出した固有の表示制御情報に基づいて表示制御を行う表示制御手段と、を備えてなる電子ブック。
【発明の効果】
【０００５】
本発明では、外部記録媒体に、表示情報の他に表示制御情報を混在させた情報をページごとに区分して記録するとともに、表示制御情報中から各ページに共通な共通表示制御情報を抽出して記憶するとともに、表示内容の変更指示があるたびに、前記読み出し手段は内容の変更に伴い、選択されたページの外部記録媒体の表示制御情報を読み出してその選択されたページに固有の表示制御情報を抽出するようにした。そして、選択されたページの表示情報を表示手段で表示する際に、あらかじめ記憶されている共通表示制御情報と、抽出した固有の表示制御情報に基づいて表示制御を行うようにした。 
従って、本発明では、表示内容の変更指示があったときには、表示手段の表示画面には、常に１ページ全体が見易くレイアウトされた表示が迅速に行われ、読者は紙製の本と同様な読書ができるという効果を有している。
そして、表示内容が内容の変更に伴いページが選択され、物語の展開が読むことができないという効果を有している。
【実施例】
【０００６】
次に、本発明の実施例について、図面を参照して説明する。 
図２は本発明実施例のブロック図であり、ＣＰＵ（中央処理装置）１はワンチップ形態で構成され、ＲＯＭ２にあらかじめ格納された手順により後述のような情報処理や各部の制御などを行う。ＣＰＵ１はバス３に接続するとともに、バス３にはＲＯＭ２、入力部４、ＲＡＭ５、ＲＡＭ６、表示器７に直結するＶＲＡＭ８、および外部記録媒体９の読み出しを行う読み出し装置１０を接続する。 
入力部４には、表示内容の変更を指示する次頁キー、前頁キー、目次を指定する目次キー、カーソルキーなどの各種のキーを配置する。前記次項キーの選択が可能であり、選択された次項キーに伴い表示内容の変更の指示が異なる。
表示内容の変更を指示すると、ＲＡＭ５から表示内容が内容の変更に伴いページが選択される。
【０００７】
ＲＡＭ５は、ＩＣメモリなどからなり、外部記録媒体９から読み出した目次部分と本文の複数ページを記憶可能なものである。ＲＡＭ６は、ＩＣメモリなどからなり、外部記録媒体９から読み出して抽出した後述の共通表示制御情報を記憶するものである。
【０００８】
ＶＲＡＭ８は表示器７に直結して表示のリフレッシュを行うものである。表示器７は、液晶ディスプレイなどからなるものである。外部記録媒体９は、フロッピー（登録商標）ディスク、ＣＤＲＯＭ、またはＩＣカードなどである。読み出し装置１０は、これら外部記録媒体９に応じてその記録内容を読み出すものである。 
外部記録媒体９には、文字、イメージ、グラフィックスなどの表示すべき表示情報（表示データ）の他に、直接表示されないが表示情報を表示する際に使用する表示制御情報（表示制御データ）を混在させた情報（データ）を、ページごとに区切ってあらかじめ格納しておく。表示制御情報は、表示情報を表示する際の文字の大きさ、縦書き・横書き、文字と文字との間隔、行間隔、禁則処理などを特定して表示画面のレイアウトを行うものである。画像については、その表示位置を指定するものである。 
表示制御情報は、本文のテキスト文字の中に、制御タグ＜・・・＞として挿入され、この部分は表示しない取扱いにする。制御タグは、縦書き、横書き、文字の大きさ、行間隔、文字間隔などがあり、その例を図３に示した。一般に、ひとつの制御タグは＜・・・＞で開始し、＜／・・・＞で終わるようにする。この２つの制御タグに挟まれた範囲が有効になる。ただし、終わりを示す＜／・・・＞が不要な場合もある（図３参照）。
【０００９】
次に、このような構成からなる本発明実施例の動作の一例について、以下に説明する。 
この実施例では、使用に際し、フロッピー（登録商標）ディスクなどの外部記録媒体９を読み出し装置１０に装着する。そして、入力部４に配置するキーの操作により、目次の他に、第１ページから数ページの表示情報および表示制御情報を、外部記録媒体９から読み出し装置１０が読み出す。この読み出した情報は、バス３を介してＲＡＭ５に格納する。
【００１０】
次に、ＲＡＭ５に格納された第１ページの情報の中から各ページに共通して使用する共通制御情報を抽出し、これを後述の表示制御の際の設定情報として、ＲＡＭ６に格納しておく（Ｓ１）。さらに、入力部４のページキーにより、表示内容の変更の指示があったか否かを、すなわち、ページめくりの要求の有無を検出する（Ｓ２）。そして、ページめくりの要求があるときには、選択されたページの情報を外部記録媒体９から読み出し装置１０が読み出す（Ｓ３）。なお、その選択されたページの情報がＲＡＭ５に格納されているときには、ＲＡＭ５から読み出す。
【００１１】
次に、その読み出したページの情報中からそのページに固有の表示制御情報を抽出し、これを表示制御の際のそのページに固有の表示制御情報として設定する（Ｓ４）。引き続き、ステップＳ３で読み出した表示情報を表示器７に表示する際に、その設定された固有の表示制御情報と、上記のようにＲＡＭ６に記憶されている共通制御情報に従って表示制御を行う。従って、表示器７における表示画面の表示は、常に１ページ全体が見易くレイアウトされたものになる。
【００１２】
以上説明したように本発明実施例では、外部記録媒体９の例えば第１ページに各ページ全体に共通して使用する共通制御情報を記録するとともに、各ページにはそのページに固有の表示制御情報をそのページの先頭部分に記録しておき、ページ単位で表示する際にこれら両情報を活用するようにした。 
従って、本発明実施例では、すべてのページについての表示制御が完全にページごとになるので、文章が２つのページにまたがるような場合、またはページ間のジャンプを自由に行うような場合であっても、表示器７の表示画面は常に１ページ全体が見易くレイアウトされたものになる。
【図面の簡単な説明】
【００１３】
【図１】本発明の機能ブロック図である。
【図２】本発明実施例のブロック図である。
【図３】本発明実施例の制御タグの一例を示す図である。
【図４】その実施例の動作例を示すフローチャートである。
【図１】
2009258150.tif 000003
【図２】
2009258150.tif 000004
【図３】
2009258150.tif 000005
【図４】
2009258150.tif 000006